(57)【要約】【課題】従来の被検体の末梢部に装着する小型の血圧測定装置においては、脈動を的確に検出しているか否かが不明であり、脈派を的確に検出していない場合にも血圧測定をしてしまい血圧測定の誤差を大きくしてしまうという課題があった。本願発明は、被検体の末梢部における血管の脈動を的確に検出することができ、正確に血圧測定ができる血圧測定装置を提供することを目的とする。【解決手段】本願発明に係る血圧測定装置は、脈動波形検出部と振幅強度演算部を備えることで、カフが圧迫した被検体の末梢部における血管の脈動を圧力センサの出力する信号又は光電素子の出力する信号から脈動波形を的確に検出できる。【選択図】図１
2006102191.tif 000002
【特許請求の範囲】
【請求項１】
被検体を圧迫するカフと、
前記カフの圧迫する前記被検体の脈動を前記カフ内の圧力変化として計測する圧力センサと、
前記圧力センサの出力する信号から脈動波形を検出する脈動波形検出部と、
前記脈動波形検出部の出力する脈動波形の振幅強度を演算する振幅強度演算部と、
を備える血圧測定装置。
【請求項２】
前記振幅強度演算部の演算した振幅強度を表示する振幅強度表示部をさらに備えることを特徴とする請求項１に記載の血圧測定装置。
【請求項３】
前記振幅強度演算部の演算した振幅強度を音で通知する振幅強度通知部をさらに備えることを特徴とする請求項１に記載の血圧測定装置。
【請求項４】
前記振幅強度演算部の演算した振幅強度と予め設定された閾値とを比較する振幅比較部をさらに備えることを特徴とする請求項１に記載の血圧測定装置。
【請求項５】
前記振幅比較部の比較した結果を表示する振幅比較表示部をさらに備えることを特徴とする請求項４に記載の血圧測定装置。
【請求項６】
前記振幅比較部の比較した結果を音で通知する振幅比較通知部をさらに備えることを特徴とする請求項４に記載の血圧測定装置。
【請求項７】
前記振幅強度表示部は、振幅強度を離散値又は連続値で表示することを特徴とする請求項２に記載の血圧測定装置。
【請求項８】
前記カフが前記被検体に接触したことを検知して、少なくとも前記脈動波形検出部及び前記振幅強度演算部を動作させる接触検知部をさらに備えることを特徴とする請求項１から７に記載のいずれかの血圧測定装置。
【請求項９】
被検体を圧迫するカフと、
前記カフが接触する前記被検体の一部に前記カフ内から光を照射する発光素子と、
前記被検体の一部で前記光が散乱する散乱光を前記カフ内で受光する受光素子と、
前記受光素子の出力する信号から脈動波形を検出する脈動波形検出部と、
前記脈動波形検出部の出力する脈動波形の振幅強度を演算する振幅強度演算部と、
を備える血圧測定装置。
【請求項１０】
前記振幅強度演算部の出力する振幅強度が最大になるように、前記受光素子の受光方向を調整する受光素子方向調整部をさらに備えることを特徴とする請求項９に記載の血圧測定装置。
【請求項１１】
前記振幅強度演算部の出力する振幅強度が最大になるように、前記発光素子の照射方向を調整する発光素子方向調整部をさらに備えることを特徴とする請求項９又は１０に記載の血圧測定装置。
【請求項１２】
前記振幅強度演算部の出力する振幅強度が最大になるように、前記カフの位置を調整する位置調整部をさらに備えることを特徴とする請求項１から１１に記載のいずれかの血圧測定装置。
【請求項１３】
前記位置調整部により前記カフの位置調整が完了した後に、前記被検体を押圧する前記カフ内の圧力が大気圧と一致するように前記カフ内の圧力を調整する圧力調整部をさらに備えることを特徴とする請求項１２に記載の血圧測定装置。
【請求項１４】
前記被検体と接触する圧力を計測する接触圧力センサと、
前記位置調整部による前記カフの位置調整が完了後、前記カフと前記被検体との接触する圧力がゼロになるように前記カフ内の圧力を調整する圧力調整部と、をさらに備えることを特徴とする請求項１２に記載の血圧測定装置。
【請求項１５】
外耳及び／または外耳周辺を前記被検体の測定部位とすることを特徴とする請求項１から１４に記載のいずれかの血圧測定装置。
【請求項１６】
耳介及び／または耳介周辺を前記被検体の測定部位とすることを特徴とする請求項１から１４に記載のいずれかの血圧測定装置。
【請求項１７】
耳珠及び／またはその周辺を前記被検体の測定部位とすることを特徴とする請求項１から１４に記載のいずれかの血圧測定装置。
【請求項１８】
外耳道を前記被検体の測定部位とすることを特徴とする請求項１から１４に記載のいずれかの血圧測定装置。
【発明の詳細な説明】
【技術分野】
【０００１】
本願発明は、被検体の一部を圧迫するカフを利用する血圧測定装置に関する。
【背景技術】
【０００２】
高齢化が進み、成人の生活習慣病への対応が社会的に大きな課題となっている。特に高血圧に関連する疾患の場合、長期の血圧データの収集が非常に重要である点が認識されている。このような観点から、被検体の末梢部に装着でき、血圧をはじめとした各種の生体情報を簡便に常時測定できる小型の計測装置が開発されている（例えば、特許文献１参照。）。
【０００３】
また、被検体の末梢部に装着し血圧を測定する方法として、装置内に備えた発光素子により被検体へ照射した照射光が被検体の血管あるいは血管内の血球により散乱された散乱光を、装置内に備えた受光素子により受光し、受光した散乱光から脈動を検出する方法が開発されている（例えば、特許文献２参照。）。これは、脈拍、心電、体温、動脈血酸素飽和度、及び血圧などを生体内へ放射した赤外光、可視光の散乱光の受光量から計算できるとしている。光による血管の脈動波形を測定する血圧測定装置は、他の方式であるカフ振動法や容積補償法などによる血圧測定装置（例えば、非特許文献１参照。）と並んで有力な血圧の測定方法として認められている。
【０００４】
なお、本願では、耳介の名称は非特許文献２に、耳介の軟骨の名称は非特許文献３、外耳の名称は非特許文献４による。
【特許文献１】特開平１１−１２８１７４
【特許文献２】特開平９−１２２０８３
【非特許文献１】山越  憲一、戸川  達男著、「生体センサと計測装置」、日本エム・イー学会編／ＭＥ教科書シリーズ  Ａ−１、３９頁〜５２頁
【非特許文献２】Ｓｏｂｏｔｔａ  図説人体解剖学第１巻（監訳者：岡本道雄）、ｐ．１２６、（株）医学書院、１９９６年１０月１日発行
【非特許文献３】Ｓｏｂｏｔｔａ  図説人体解剖学第１巻（監訳者：岡本道雄）、ｐ．１２７、（株）医学書院、１９９６年１０月１日発行
【非特許文献４】高橋  長雄  監修・解説  「からだの地図帳」、ｐ．２０、株式会社  講談社、２００４年１月２９日発行
【発明の開示】
【発明が解決しようとする課題】
【０００５】
上記のような被検体の末梢部に装着した小型の血圧測定装置による血圧測定においては、被検体の末梢部の血管から的確に脈動を検出する必要がある。しかし、従来の被検体の末梢部に装着する小型の血圧測定装置においては、脈動を的確に検出しているか否かが不明であり、脈派を的確に検出していない場合にも血圧測定をしてしまい血圧測定の誤差を大きくしてしまうという課題があった。
【０００６】
そこで、本願発明は、被検体の末梢部における血管の脈動を的確に検出することができ、正確に血圧測定ができる血圧測定装置を提供することを目的とする。
【課題を解決するための手段】
【０００７】
上記目的を達成するために、本願第一の発明に係る血圧測定装置は、脈動波形検出部と振幅強度演算部を備えることで、カフが圧迫した被検体の末梢部における血管の脈動を圧力センサの出力する信号から脈動波形を的確に検出できる。
具体的には、本願第一の発明は、被検体を圧迫するカフと、前記カフの圧迫する前記被検体の脈動を前記カフ内の圧力変化として計測する圧力センサと、前記圧力センサの出力する信号から脈動波形を検出する脈動波形検出部と、前記脈動波形検出部の出力する脈動波形の振幅強度を演算する振幅強度演算部と、を備える血圧測定装置である。
【０００８】
本願第一の発明に係る血圧測定装置は、前記圧力センサが出力する前記カフ内の圧力変化の信号から前記脈動波形検出部が脈動成分である脈動波形を検出し、前記振幅強度演算部が前記脈動波形の振幅強度を演算するため、被検体の末梢部における血管の脈動を的確に検出することができる。従って、本願第一の発明に係る血圧測定装置は、血圧測定過程における前記脈動波形の前記振幅強度の変化から正確に血圧の測定をすることができる。
【０００９】
上記目的を達成するために、本願第一の発明に係る血圧測定装置において、前記振幅強度演算部の演算した振幅強度を表示する振幅強度表示部をさらに備えてもよい。また、前記振幅強度表示部は、振幅強度を離散値又は連続値で表示してもよい。
【００１０】
本願第一の発明に係る血圧測定装置は、前記振幅強度表示部を備えることにより、前記振幅強度演算部の演算した振幅強度を視覚情報で表示することができる。視覚情報の表示方法として、前記振幅強度を離散値、すなわちデジタル的な表示としてもよく、あるいはアナログメータやグラフ等の連続値で表示しても良い。使用者は、血圧測定時に脈動波形の振幅強度を前記視覚情報によって観察でき、前記カフが被検体内部の血管を的確に圧迫しているかどうかを確認することができる。前記カフが被検体内部の血管を的確に圧迫しておらず、振幅強度が小さく十分血圧測定をすることができない場合、使用者は前記振幅強度を大きくするような被検体の位置に血圧測定装置を再装着することができる。従って、本願第一の発明の血圧測定装置は正確に血圧を測定することができる。
【００１１】
上記目的を達成するために、本願第一の発明に係る血圧測定装置において、前記振幅強度演算部の演算した振幅強度を音で通知する振幅強度通知部をさらに備えてもよい。
【００１２】
本願第一の発明に係る血圧測定装置は、前記振幅強度通知部を備えることにより、前記振幅強度演算部の演算した振幅強度を聴覚情報で通知することができる。前記振幅強度を聴覚情報で使用者に通知することにより、使用者が直接視覚で確認できない測定部に本願第一の発明の血圧測定装置を装着した場合でも使用者は前記振幅強度を知ることができる。使用者は、血圧測定時に前記聴覚情報を聞くことにより、前記カフが被検体内部の血管を的確に圧迫しているかどうかを確認することができる。前記カフが被検体内部の血管を的確に圧迫しておらず、振幅強度が小さく十分血圧測定をすることができない場合、使用者は前記振幅強度を大きくするような被検体の位置に血圧測定装置を再装着することができる。従って、本願第一の発明の血圧測定装置は正確に血圧を測定することができる。
【００１３】
上記目的を達成するために、本願第一の発明に係る血圧測定装置において、前記振幅強度演算部の演算した振幅強度と予め設定された閾値とを比較する振幅比較部をさらに備えてもよい。
【００１４】
本願第一の発明に係る血圧測定装置は、前記振幅比較部に予め正確な血圧測定をするために必要な閾値を設定しておき、血圧測定時に前記振幅強度演算部が演算した前記振幅強度と前記閾値とを比較し、血圧測定中に変化する前記振幅強度が前記閾値に達した場合の測定結果を前記カフが被検体内部の血管を的確に圧迫して測定した血圧とすることで正確な血圧測定をすることができる。
【００１５】
上記目的を達成するために、本願第一の発明に係る血圧測定装置において、前記振幅比較部の比較した結果を表示する振幅比較表示部をさらに備えてもよい。
【００１６】
本願第一の発明に係る血圧測定装置は、前記振幅比較表示部を備えることにより、前記振幅強度演算部の演算した振幅強度と前記閾値との比較結果を視覚情報で表示することができる。使用者は、前記視覚情報を観察することにより、前記カフが被検体内部の血管を的確に押圧し、脈動波形の振幅強度が血圧測定に必要なレベル以上の強度で計測されているかどうか確認することができる。前記振幅強度が血圧測定に必要なレベル以下の場合、使用者は前記振幅強度が血圧測定に必要なレベル以上となる被検体の位置に血圧測定装置を再装着することができる。従って、本願第一の発明の血圧測定装置は正確に血圧を測定することができる。
【００１７】
上記目的を達成するために、本願第一の発明に係る血圧測定装置において、前記振幅比較部の比較した結果を音で通知する振幅比較通知部をさらに備えてもよい。
【００１８】
本願第一の発明に係る血圧測定装置は、前記振幅比較通知部を備えることにより、前記振幅強度演算部の演算した振幅強度と前記閾値との比較結果を聴覚情報で通知することができる。前記結果を聴覚情報で使用者に通知することにより、直接視覚で確認できない測定部に本願第一の発明の血圧測定装置を装着した場合でも使用者は前記結果を知ることができる。使用者は、前記聴覚情報を聞くことにより、前記カフが被検体内部の血管を的確に圧迫し、脈動波形の振幅強度が血圧測定に必要なレベル以上の強度で計測されているかどうか確認することができる。前記振幅強度が血圧測定に必要なレベル以下の場合、使用者は前記振幅強度が血圧測定に必要なレベル以上となる被検体の位置に血圧測定装置を再装着することができる。従って、本願第一の発明の血圧測定装置は正確に血圧を測定することができる。
【００１９】
本願第一の発明に係る血圧測定装置において、前記カフが前記被検体に接触したことを検知して、少なくとも前記脈動波形検出部及び前記振幅強度演算部を動作させる接触検知部をさらに備えてもよい。
【００２０】
本願第一の発明に係る血圧測定装置は、前記カフが被検体に接触したことを検知して、少なくとも前記脈動波形検出部及び前記振幅強度演算部を動作させることにより、前記カフが被検体に接触してから動作するので誤動作を防止できる。
【００２１】
上記目的を達成するために、本願第二の発明は、カフが圧迫した被検体の末梢部における血管の脈動を被検体に照射した光の散乱光の強度変化として的確に検出できる血圧測定装置を提供する。
【００２２】
具体的には、本願第二の発明は、被検体を圧迫するカフと、前記カフが接触する前記被検体の一部に前記カフ内から光を照射する発光素子と、前記被検体の一部で前記光が散乱する散乱光を前記カフ内で受光する受光素子と、前記受光素子の出力する信号から脈動波形を検出する脈動波形検出部と、前記脈動波形検出部の出力する脈動波形の振幅強度を演算する振幅強度演算部と、を備える血圧測定装置である。
【００２３】
本願第二の発明に係る血圧測定装置は、前記脈動波形検出部により被検体の脈動による前記散乱光を受光した前記受光素子の出力する信号から前記脈動波形検出部が脈動成分である脈動波形を検出し、前記振幅強度演算部が前記脈動波形の振幅強度を演算するため、被検体の末梢部における血管の脈動を的確に検出することができる。従って、血圧測定過程において前記脈動波形の前記振幅強度の変化から正確に血圧の測定をすることができる。
【００２４】
上記目的を達成するために、本願第二の発明に係る血圧測定装置において、前記振幅強度演算部の出力する振幅強度が最大になるように、前記受光素子の受光方向を調整する受光素子方向調整部をさらに備えてもよい。
【００２５】
本願第二の発明に係る血圧測定装置は、前記受光素子方向調整部を備えることにより、前記振幅強度演算部の出力する振幅強度が最大になるように、前記受光素子の受光方向を調整するため、微弱な信号を効率よく検出でき、被検体の装着箇所による血圧測定の精度の違いを低減することができる。従って、本願第二の発明に係る血圧測定装置は正確に血圧の測定をすることができる。
【００２６】
上記目的を達成するために、本願第二の発明に係る血圧測定装置において、前記振幅強度演算部の出力する振幅強度が最大になるように、前記発光素子の照射方向を調整する発光素子方向調整部をさらに備えてもよい。
【００２７】
本願第二の発明に係る血圧測定装置は、前記発光素子方向調整部を備えることにより、前記振幅強度演算部の出力する振幅強度が最大になるように、前記発光素子の照射方向を調整するため、微弱な信号を効率よく検出でき、被検体の装着箇所による血圧測定の精度の違いを低減することができる。従って、本願第二の発明に係る血圧測定装置は正確に血圧の測定をすることができる。
【００２８】
上記目的を達成するために、本願第一の発明及び本願第二の発明に係る血圧測定装置において、前記振幅強度演算部の出力する振幅強度が最大になるように、前記カフの位置を調整する位置調整部をさらに備えてもよい。
【００２９】
本願第一の発明及び本願第二の発明に係る血圧測定装置は、前記位置調整部を備えることにより、微弱な信号を効率よく検出でき、被検体の装着箇所による血圧測定の精度の違いを低減することができる。従って、本願第二の発明に係る血圧測定装置は正確に血圧の測定をすることができる。
【００３０】
上記目的を達成するために、本願第一の発明及び本願第二の発明に係る血圧測定装置において、前記位置調整部により前記カフの位置調整が完了した後に、前記被検体を押圧する前記カフ内の圧力が大気圧と一致するように前記カフ内の圧力を調整する圧力調整部をさらに備えてもよい。
【００３１】
本願第一の発明及び本願第二の発明に係る血圧測定装置は、前記圧力調整部を備えることにより、被検体を圧迫する前記カフ内の圧力が大気圧と一致するように前記カフ内の圧力を調整した状態を初期値として、前記初期値からの圧力変化分を前記カフによる被検体を圧迫する圧力とすることで、被検体表面へ与圧がかかることによる測定誤差要因を取り除くことができ、高精度な血圧測定をすることができる。
【００３２】
上記目的を達成するために、本願第一の発明及び本願第二の発明に係る血圧測定装置において、前記被検体と接触する圧力を計測する接触圧力センサと、前記位置調整部による前記カフの位置調整が完了後、前記カフと前記被検体との接触する圧力がゼロになるように前記カフ内の圧力を調整する圧力調整部と、をさらに備えてもよい。
【００３３】
本願第一の発明及び本願第二の発明に係る血圧測定装置は、前記圧力調整部を備えることにより、前記カフと前記被検体との接触する圧力がゼロになるように前記カフ内の圧力を調整した状態を初期値として、前記初期値からの圧力変化分を前記カフによる被検体を圧迫する圧力とすることで、被検体表面へ与圧がかかることによる測定誤差要因を取り除くことができ、高精度な血圧測定をすることができる。
【００３４】
本願第一の発明及び本願第二の発明に係る血圧測定装置において、外耳及び／または外耳周辺を前記被検体の測定部位としてもよい。本願第一の発明及び本願第二の発明に係る血圧測定装置を外耳及び／または外耳周辺に装着することで、血圧を簡便に常時測定することができる。
【００３５】
本願第一の発明及び本願第二の発明に係る血圧測定装置において、耳介及び／または耳介周辺を前記被検体の測定部位としてもよい。本願第一の発明及び本願第二の発明に係る血圧測定装置を耳介及び／または耳介周辺に装着することで、血圧を簡便に常時測定することができる。
【００３６】
本願第一の発明及び本願第二の発明に係る血圧測定装置において、耳珠及び／またはその周辺を前記被検体の測定部位としてもよい。本願第一の発明及び本願第二の発明に係る血圧測定装置を耳珠及び／またはその周辺に装着することで、血圧を簡便に常時測定することができる。
【００３７】
本願第一の発明及び本願第二の発明に係る血圧測定装置において、外耳道を前記被検体の測定部位としてもよい。本願第一の発明及び本願第二の発明に係る血圧測定装置を外耳道に装着することで、血圧を簡便に常時測定することができる。
【発明の効果】
【００３８】
本願発明に係る血圧測定装置は、前記脈動波形検出部と、前記振幅強度演算部を備えることで、被検体の末梢部における血管の脈動を的確に検出することができ、血圧測定過程における前記脈動波形の前記振幅強度の変化から正確に血圧の測定をすることができる。
【発明を実施するための最良の形態】
【００３９】
添付の図面を参照して本願発明の実施の形態を説明する。以下に説明する実施の形態は本願発明の構成の例であり、本願発明は、以下の実施の形態に制限されるものではない。
（実施の形態１）
【００４０】
図１は、本願第一の発明の実施形態に係る血圧測定装置の一形態を示す概略図である。
血圧測定装置１０１は筐体９２、カフ９３、空気パイプ９４、圧力センサ１１、脈動波形検出部１２、振幅強度演算部１３及び振幅強度表示部１４を備える。
【００４１】
カフ９３は空気パイプ９４と接続し、一部が被検体と接触するように筐体９２と被検体との間に配置される。カフ９３は図示しない空気ポンプから空気パイプ９４を通じて送り込まれる空気により膨張し、筐体９２との反作用を利用して被検体を圧迫する。また、前記空気ポンプは血圧測定中に膨張したカフ９３から空気パイプ９４を通じて徐々に空気を排出することができ、空気が排出されることによりカフ９３は収縮し、被検体を圧迫する圧力を一定の割合で減少させる。
【００４２】
筐体９２の材質は、特に特定しないが、カフ９３の圧力で変形しないプラスチック又はアルミ、ステンレス等の金属が望ましい。
【００４３】
カフ９３の材質は、特に限定しないが、空気が漏れず、伸縮性があり丈夫なビニール又はゴムであることが望ましい。
【００４４】
圧力センサ１１は空気パイプ９４と前記空気ポンプとの間に配置され、カフ９３内の空気圧を測定する。測定した圧力は圧力に応じた大きさの電圧又は電流等の信号Ａとして出力される。カフ９３内の空気圧を正確に測定するために、空気パイプ９４の振動を受け難いカフ９３の近傍に配置されることが望ましい。圧力センサ１１は、気圧の変化によってベローズが伸縮することを利用したベローズ式、ピエゾ抵抗体のピエゾ効果による抵抗値が変化することを利用した半導体式、単結晶シリコン振動子の振動数が変化することを利用したシリコン式等の圧力計を使用することができる。
【００４５】
圧力センサ１１が測定した圧力にはカフ９３が被検体を圧迫する圧力だけでなく、圧迫された被検体の血管から発生する脈動が含まれるため、信号Ａにも前記脈動の脈動成分が含まれる。脈動波形検出部１２は、受信した信号Ａから前記脈動成分を検出し、脈動波形Ｂを出力する。前記脈動成分は被検体の脈拍の周期であるため、毎分５０から２００程度、すなわち３〜１２ｋＨｚ程度の信号である。例えば、脈動波形検出部１２は信号Ａから３〜１２ｋＨｚの信号を抽出できるフィルター回路としてもよい。脈動波形検出部１２は信号Ａから３〜１２ｋＨｚに含まれない低周波のカフ９３が被検体を圧迫する圧力の変化分の信号や高周波のノイズ等の信号を除去した脈動波形Ｂを出力することができる。従って、血圧測定装置１０１は被検体の末梢部における血管の微弱な脈動を的確に検出することができる。また、脈動波形検出部１２は信号Ａの一定間隔で生ずるパルス信号を脈拍による脈動として抽出し、脈動波形Ｂとしてもよい。
【００４６】
振幅強度演算部１３は、脈動波形Ｂの実時間の振幅を演算、例えば電圧値又は電流値に変換した振幅強度信号Ｃとして出力する。被検体内の血管から発生する脈動の強さに比例して信号Ａに含まれる脈動波形Ｂの振幅強度が変わる。すなわち、脈動が強ければ、振幅強度信号Ｃは大きくなり脈動が小さければ振幅強度信号Ｃは小さくなる。
【００４７】
振幅強度表示部１４は、振幅強度信号Ｃを受信して振幅強度を視覚情報として表示する。表示方法として振幅強度信号Ｃを離散値すなわちデジタル的数値として表示してもよく、あるいはアナログメータやグラフ等の連続値として表示してもよい。また、表示部に文字又は図形を表示しても良く、発光素子の輝度又は色彩の変化で表示しても良い。なお、振幅強度信号Ｃは脈動波形Ｂの実時間の振幅値であり、そのまま表示してもよいが、使用者が確認しやすいように一定時間内の振幅値の最大値、平均値又は最小値を表示しても良い。使用者は、振幅強度表示部１４により血圧測定時に脈動波形Ｂの振幅強度信号Ｃを視覚情報によって観察でき、カフ９３が被検体内部の血管を的確に圧迫しているかどうかを確認することができる。
【００４８】
接触検知部８２は、被検体とカフ９３が接触したことを脈動波形検出部１２と振幅強度演算部１３に通知する。脈動波形検出部１２と振幅強度演算部１３は接触検知部８２が出力する被検体との接触した信号を受信して動作を開始することで、誤動作を回避することができる。接触検知部８２は、体温を検知する温度計としてもよい。カフ９３は被検体と接触することで被検体の体温が伝わり、温度が上昇する。前記温度の上昇をもって被検体と接触したこととすることができる。接触検知部８２は、被検体と接触する電極を有する電気抵抗測定器としてもよい。被検体と接触しないときは空気の抵抗値となり高抵抗であるが、被検体と接触すると、被検体の抵抗値となり抵抗値が下がる。前記抵抗値の低下をもって、被検体と接触したとすることができる。
【００４９】
血圧測定器１０１は以下のように動作する。血圧測定装置１０１は、被検体の測定部分にカフ９３が接触するように装着される。カフ９３が被検体と接触したことを接触検知部８２が検知して脈動波形検出部１２と振幅強度演算部１３を作動させる。カフ９３は空気パイプ９４により空気の供給を受け、膨らみ、被検体の被測定部分を圧迫する。圧力センサ１１の出力する信号Ａが被検体内部の血流を停止する圧力となるまで、空気パイプ９４は空気の供給を続ける。その後、空気パイプ９４はカフ９３の内部の空気を徐々に排気して、被検体の被測定部分を圧迫する圧力を減少させる。被検体の被測定部分を圧迫する圧力の減少に伴い、被検体内部の血流が流れ始め、圧迫による血流の抵抗による脈動が始まる。前記脈動はカフ９３内の圧力を変動させ、圧力センサ１１の出力する信号Ａに前記脈動による成分が含まれるようになる。信号Ａを受信した脈動波形検出部１２は信号Ａから脈動波形Ｂを検出し、脈動波形Ｂを受信した振幅強度演算部１３は振幅強度を演算して振幅強度信号Ｃを出力する。振幅強度信号Ｃを受信した振幅強度表示部１４は振幅強度を表示する。
【００５０】
カフ９３が被検体内部の血管を的確に圧迫しておらず、振幅強度信号Ｃが小さく十分血圧測定をすることができない場合、使用者は振幅強度信号Ｃを大きくするような被検体の位置に血圧測定装置１０１を再装着し、再度血圧測定を行うことができる。例えば、脈動波形検出部１２が脈動波形Ｂを検出し始めたときの圧力センサ１１の圧力値を最高血圧とすることができる。また、脈動波形Ｂの周期から被検体の脈拍を測定することができる。カフ９３の内部の空気をさらに排気し、被検体を圧迫する圧力がさらに減少すると、圧迫による血流の抵抗がなくなるため血管の脈動が弱くなる。例えば、脈動波形検出部１２が脈動波形Ｂを検出できなくなったときの圧力センサ１１の圧力値を最低血圧とすることができる。以上のように、血圧測定装置１０１は被検体の血圧と脈拍を正確に測定することができる。
【００５１】
さらに、血圧測定装置１０１に血圧測定装置１０１と被検体との位置を固定するフレーム９０及びフレーム９０と筐体９２との間に配置される位置調整部９５を備えてもよい。位置調整部９５はカフ９３が接する被検体面と平行な方向の直行する２軸（Ｘ軸、Ｙ軸）に、それぞれモーター又はリニアモータ等のアクチュエータによって筐体９２を移動させることでカフ９３を移動させることができる。血圧測定装置１０１を被検体に装着した後、位置調整部９５は振幅強度信号Ｃが最大になるようにカフ９３の位置を調整することができる。血圧測定装置１０１を被検体の末梢部に装着した場合、位置調整部９５は、使用者が血圧測定装置１０１の位置の微調整を行うより精度よく振幅強度信号Ｃを最大にするよう調整ができる。従って、血圧測定装置１０１は被検体に装着された後、振幅強度信号Ｃが最大になるようにカフ９３の位置を調整することで正確に血圧を測定することができる。なお、フレーム９０及び位置調整部９５は以下で説明する実施の形態２から実施の形態１２のいずれにも備えることができ、図１で説明した機能及び動作と同じ機能及び動作をする。
【００５２】
さらに、血圧測定装置１０１には、圧力調整部９６を筐体９２に備えてもよい。圧力調整部９６は、例えばカフ９３と外部との通気口と、通気口を開放及び遮断する弁と、から構成しても良い。血圧測定装置１０１が被検体に装着され、位置調整部９５がカフ９３の位置を調整した後、圧力調整部９６は、例えば、カフ９３内と外部との通気口を開放してカフ９３内の圧力を大気圧と等しい圧力に調整することができる。圧力調整部９６が通気口を開放した時のカフ９３内の圧力を圧力センサ１１が測定した値を被検体を圧迫する圧力の原点として血圧測定をすることで、血圧測定装置１０１は被検体表面へ与圧がかかることによる測定誤差要因を取り除くことができ、高精度に血圧測定をすることができる。
【００５３】
さらに、カフ９３の被検体との接触部にカフ９３が被検体を圧迫する圧力を計測する接触圧センサ８１を備えてもよい。接触圧センサ８１として感圧導電ゴム、ピエゾ素子等の感圧センサを使用することができる。血圧測定装置１０１が被検体に装着され、位置調整部９５がカフ９３の位置を調整した後、圧力調整部９６は接触圧センサ８１の計測結果がゼロ、すなわち、被検体を圧迫する圧力がゼロとなるようにカフ９３内の圧力を調整してもよい。接触圧センサ８１の計測結果がゼロである時のカフ９３内の圧力を圧力センサ１１が測定した値を被検体を圧迫する圧力の原点として血圧測定をすることで、血圧測定装置１０１は被検体表面へ与圧がかかることによる測定誤差要因を取り除くことができ、高精度に血圧測定をすることができる。
【００５４】
なお、圧力調整部９６及び接触圧センサ８１は以下で説明する実施の形態２から実施の形態１２のいずれにも備えることができ、図１で説明した機能及び動作と同じ機能及び動作をする。
（実施の形態２）
【００５５】
図２は、本願第一の発明の他の実施形態に係る血圧測定装置の一形態を示す概略図である。図２の血圧測定装置１０２において、血圧測定装置１０１で用いた符号と同じ符号は同じ機能及び同じ動作をする。血圧測定装置１０２と血圧測定装置１０１との違いは、振幅強度表示部１４を備えず、振幅強度信号Ｃを音で通知する振幅強度通知部２４を備えたことである。
【００５６】
振幅強度通知部２４は振幅強度信号Ｃを受信して振幅強度を聴覚情報として通知する。通知方法として振幅強度信号Ｃをスピーカによる音の強弱、音色又は音程の変化で通知することができる。また、強度信号の値を言葉で発声して通知しても良い。振幅強度信号Ｃを聴覚情報で使用者に通知することにより、使用者が直接視覚で確認できない測定部に血圧測定装置１０２を装着した場合でも使用者は振幅強度信号Ｃを知ることができる。使用者は、血圧測定時に聴覚情報を聞くことにより、カフ９３が被検体内部の血管を的確に圧迫しているかどうかを確認することができる。
【００５７】
血圧測定装置１０２は以下のように動作する。血圧測定装置１０２は振幅強度演算部１３が振幅強度信号Ｃを演算するまでは、図１で説明した血圧測定装置１０１と同じ動作をする。振幅強度信号Ｃを受信した振幅強度通知部２４は振幅強度に応じた音を発生する。カフ９３が被検体内部の血管を的確に圧迫しておらず、振幅強度信号Ｃが小さく十分血圧測定をすることができない場合、使用者は振幅強度信号Ｃを大きくするような被検体の位置に血圧測定装置１０２を再装着し、再度血圧測定を行うことができる。
【００５８】
従って、血圧測定装置１０２は正確に血圧を測定することができる。
（実施の形態３）
【００５９】
図３は、本願第一の発明の他の実施形態に係る血圧測定装置の一形態を示す概略図である。図３の血圧測定装置１０３において、血圧測定装置１０１で用いた符号と同じ符号は同じ機能及び同じ動作をする。血圧測定装置１０３と血圧測定装置１０１との違いは、振幅強度表示部１４を備えず、振幅強度信号Ｃと予め設定された閾値とを比較する振幅比較部３０を備えたことである。
【００６０】
血圧測定装置１０１の動作で説明したように、血圧測定装置１０３は圧力センサ１１の出力する信号Ａから脈動波形Ｂを抽出することで血圧測定を行っている。しかし、カフ９３が圧迫する箇所によっては振幅強度信号Ｃが小さく正確な血圧測定ができないこともある。そこで、振幅比較部３０に予め正確な血圧測定をするために必要な閾値を設定しておき、血圧測定時に振幅強度演算部１３が演算した振幅強度信号Ｃと前記閾値とを比較をすることで、カフ９３が被検体内部の血管を的確に圧迫しているか否かを判断することができる。なお、振幅強度信号Ｃは血圧測定中にカフ９３が被検体を圧迫する圧力により変化するため、例えば、血圧測定中の振幅強度信号Ｃの最大値と前記閾値を比較しても良い。
【００６１】
血圧測定装置１０３に、振幅比較部３０の振幅強度信号Ｃと前記閾値との比較結果を視覚情報で表示する振幅比較表示部３４をさらに備えてもよい。振幅比較部３０は比較結果の信号Ｆを振幅比較表示部３４に出力する。信号Ｆを受信した振幅比較表示部３４の表示方法として、例えば、振幅強度信号Ｃが前記閾値に達した場合、振幅比較表示部３４は前記閾値を超えたことを発光素子の発光で表示、あるいは輝度又は色彩の変化で表示しても良い。また、振幅強度信号Ｃが前記閾値に達した場合、振幅比較表示部３４は前記閾値を超えたことを文字や図形で表示しても良い。逆に、振幅強度信号Ｃが前記閾値に達しない場合、振幅比較表示部３４は前記表示方法で表示しても良い。
【００６２】
血圧測定装置１０３は以下のように動作する。振幅強度演算部１３が振幅強度信号Ｃを出力するまでは血圧測定装置１０１の動作と同じである。振幅比較部３０が振幅強度信号Ｃと前記閾値とを比較した結果、振幅強度信号Ｃが前記閾値に達した場合、カフ９３が被検体内部の血管を的確に圧迫しているとして血圧測定を行う。一方、血圧測定中に変化する振幅強度信号Ｃが前記閾値に達しない場合、カフ９３が被検体内部の血管を的確に圧迫していないとして血圧測定をせず、振幅比較部３０は振幅比較表示部３４に対し、信号Ｆを出力する。使用者は振幅比較表示部３４を観察することによりカフ９３が被検体内部の血管を的確に圧迫しているかどうかを確認することができる。カフ９３が被検体内部の血管を的確に圧迫しておらず、振幅強度信号Ｃが前記閾値より小さい場合、使用者は振幅強度信号Ｃを大きくするような被検体の位置に血圧測定装置１０３を再装着し、再度血圧測定を行うことができる。
【００６３】
従って、血圧測定装置１０３は正確に血圧を測定することができる。
（実施の形態４）
【００６４】
図４は、本願第一の発明の他の実施形態に係る血圧測定装置の一形態を示す概略図である。図４の血圧測定装置１０４において、血圧測定装置１０３で用いた符号と同じ符号は同じ機能及び同じ動作をする。血圧測定装置１０４と血圧測定装置１０３との違いは、振幅比較表示部３４を備えず、振幅強度信号Ｃを聴覚情報で通知する振幅比較通知部４４を備えたことである。
【００６５】
振幅比較部３０は比較結果の信号Ｆを振幅比較通知部４４に出力する。信号Ｆを受信した振幅比較通知部４４の通知方法として、例えば、振幅強度信号Ｃが前記閾値に達した場合、振幅比較通知部４４は前記閾値を超えたことをスピーカによる音の発生、あるいは音の強弱、音色又は音程の変化で通知しても良い。また、振幅強度信号Ｃが前記閾値に達した場合、振幅比較通知部４４は前記閾値を超えたことをスピーカにより言葉で通知しても良い。逆に、振幅強度信号Ｃが前記閾値に達しない場合、振幅比較通知部４４は前記通知方法で表示しても良い。振幅強度信号Ｃと前記閾値の比較結果を聴覚情報で使用者に通知することにより、使用者が直接視覚で確認できない測定部に血圧測定装置１０４を装着した場合でも使用者は前記比較結果を知ることができる。
【００６６】
血圧測定装置１０４は以下のように動作する。血圧測定装置１０４は振幅比較部３０において振幅強度信号Ｃと前記閾値の比較をするまでは、図１で説明した血圧測定装置１０１と同じ動作をする。振幅比較部３０が振幅強度信号Ｃと前記閾値とを比較した結果、振幅強度信号Ｃが前記閾値に達した場合、カフ９３が被検体内部の血管を的確に圧迫しているとして血圧測定を行う。一方、血圧測定中に変化する振幅強度信号Ｃが前記閾値に達しない場合、カフ９３が被検体内部の血管を的確に圧迫していないとして血圧測定をせず、振幅比較部３０は振幅比較通知部４４に対し、信号Ｆを出力する。使用者は、血圧測定時に振幅比較通知部４４の聴覚情報を聞くことにより、カフ９３が被検体内部の血管を的確に圧迫しているかどうかを確認することができる。カフ９３が被検体内部の血管を的確に圧迫しておらず、振幅強度信号Ｃが前記閾値より小さい場合、使用者は振幅強度信号Ｃを大きくするような被検体の位置に血圧測定装置１０４を再装着することができる。
【００６７】
従って、血圧測定装置１０４は正確に血圧を測定することができる。
（実施の形態５）
【００６８】
図５は、本願第二の発明の実施形態に係る血圧測定装置の一形態を示す概略図である。血圧測定装置１０５は筐体９２、カフ９３、空気パイプ９４、圧力センサ１１、脈動波形検出部１２、振幅強度演算部１３、振幅強度表示部１４、発光素子５２及び受光素子５３を備える。図５の血圧測定装置１０５において、図１の血圧測定装置１０１で用いた符号と同じ符号は同じ機能及び同じ動作をする。発光素子５２と受光素子５３はカフ９３内のカフ９３が筐体９２と接触する箇所に備えられる。
【００６９】
発光素子５２は、カフ９３の外部に被検体の血管の脈動を測定するための照射光Ｍを照射する。血圧測定装置１０５のカフ９３は発光素子５２からの照射光Ｍを被検体へ照射させるために光を透過させる素材である必要があり、透明なビニール又は透明なゴムであることが好ましい。
【００７０】
散乱光Ｎは被検体内の血管の脈動により照射光Ｍが吸収及び散乱することで生ずる。具体的には、照射光Ｍは被検体の血管の脈動に伴う被測定部分の血液の増減、すなわち血液中のヘモグロビン量の増減によって吸収及び散乱を生じ散乱光Ｎとなる。照射光Ｍとして３００ｎｍ以上１５００ｎｍ以下の波長の光を使用することができ、このような波長で発光する発光素子５２として、例えばＧａＰ系（赤）ＬＥＤ又はＧａＡｓ系ＬＥＤを使用することができる。また、４００ｎｍ以上６５０ｎｍ以下の波長の光を使用することもでき、このような波長で発光する発光素子５２としてＧａＰ系（緑）ＬＥＤ又はＧａＡｓＰ系ＬＥＤを使用することができる。
【００７１】
受光素子５３は受光した散乱光Ｎを信号Ｇとして出力する光電変換器である。受光素子５３は散乱光Ｎをカフ９３内で受光する。受光素子５３の種類は、照射光Ｍを照射する発光素子５２の種類で定まる。発光素子５２にＧａＰ系（赤）ＬＥＤ又はＧａＡｓ系ＬＥＤを使用した場合、受光素子５３にはＳｉフォトトランジスタを使用することが好ましい。また、発光素子５２にＧａＰ系（緑）ＬＥＤ又はＧａＡｓＰ系ＬＥＤを使用した場合、受光素子５３にはブルーセンシティブフォトダイオードを使用することが好ましい。散乱光Ｎから光電変換された信号Ｇは、被検体の血管の脈動成分を有する電気信号である。
【００７２】
血圧測定装置１０５は以下のように動作する。血圧測定装置１０５は、被検体の測定部分にカフ９３が接触するように装着される。次いで、カフ９３は空気パイプ９４により空気の供給を受け、膨らみ、被検体の被測定部分を圧迫する。圧力センサ１１の測定する圧力が被検体内部の血流を停止する圧力となるまで、空気パイプ９４は空気の供給を続ける。その後、発光素子５２は照射光Ｍを外部の被検体に向け照射するとともに、空気パイプ９４はカフ９３の内部の空気を徐々に排気して、被検体の被測定部分を圧迫する圧力を減少させる。被検体の被測定部分を圧迫する圧力の減少に伴い、被検体内部の血流が流れ始め、圧迫による血流の抵抗による脈動が始まる。
【００７３】
照射光Ｍは被検体内部の血管の脈動により散乱され散乱光Ｎとなり、カフ９３を透過し、受光素子５３に受光される。受光素子５３は散乱光Ｎの強度に応じた信号Ｇを出力する。信号Ｇを受信した脈動波形検出部１２は信号Ｇから脈動波形Ｂを検出し、脈動波形Ｂを受信した振幅強度演算部１３は振幅強度を演算して振幅強度信号Ｃを出力する。振幅強度信号Ｃを受信した振幅強度表示部１４は振幅強度を表示する。例えば、脈動波形検出部１２が脈動波形Ｂを検出し始めたときの圧力センサ１１の圧力値を最高血圧とすることができる。また、脈動波形Ｂの周期から被検体の脈拍を測定することができる。カフ９３の内部の空気をさらに排気し、被検体を圧迫する圧力がさらに減少すると、圧迫による血流の抵抗がなくなるため血管の脈動が弱くなる。例えば、脈動波形検出部１２が脈動波形Ｂを検出できなくなったときの圧力センサ１１の圧力値を最低血圧とすることができる。また、血圧測定装置１０１と同様に使用者は振幅強度表示部１４を確認して血圧測定装置１０５を最適な位置へ再装着し、再度血圧測定をすることができる。
【００７４】
従って、血圧測定装置１０５は被検体の血圧と脈拍を正確に測定することができる。
（実施の形態６）
【００７５】
図６は、本願第二の発明のその他の実施形態に係る血圧測定装置の一形態を示す概略図である。図６の血圧測定装置１０６において、図１の血圧測定装置１０１、図２の血圧測定装置１０２及び図５の血圧測定装置１０５で用いた符号と同じ符号は同じ機能及び同じ動作をする。血圧測定装置１０６と図５の血圧測定装置１０５との違いは、振幅強度表示部１４を備えず、振幅強度通知部２４を備えたことである。
【００７６】
血圧測定装置１０６は血圧測定装置１０５と同様に動作する。従って、血圧測定装置１０６の使用者は振幅強度通知部２４の情報により血圧測定装置１０６を最適な位置へ再装着し、再度血圧測定をすることができる。
【００７７】
従って、血圧測定装置１０６は被検体の血圧と脈拍を正確に測定することができる。
（実施の形態７）
【００７８】
図７は、本願第二の発明のその他の実施形態に係る血圧測定装置の一形態を示す概略図である。図７の血圧測定装置１０７において、図１の血圧測定装置１０１と図５の血圧測定装置１０５で用いた符号と同じ符号は同じ機能及び同じ動作をする。血圧測定装置１０７と図５の血圧測定装置１０５との違いは、接触検知部８２をさらに備えたことである。
【００７９】
血圧測定装置１０７は血圧測定装置１０５と同様に動作する。血圧測定装置１０７は接触検知部８２をさらに備えたことで誤動作を避け、被検体の血圧と脈拍を正確に測定することができる。
【００８０】
なお、血圧測定装置１０７において、振幅強度表示部１４を備えず、振幅強度通知部２４を備えても同様の効果を得ることができる。
（実施の形態８）
【００８１】
図８は、本願第二の発明のその他の実施形態に係る血圧測定装置の一形態を示す概略図である。図８の血圧測定装置１０８において、図７の血圧測定装置１０７で用いた符号と同じ符号は同じ機能及び同じ動作をする。血圧測定装置１０８と図７の血圧測定装置１０７との違いは、方向調整制御部５１と受光素子方向調整部５５をさらに備えたことである。
【００８２】
方向調整制御部５１は振幅強度演算部１３から出力される振幅強度信号Ｃを受信し、受光素子方向調整部５５へ制御信号を出力する。受光素子方向調整部５５は受光素子５３の受光方向を調整するアクチュエータであり、受光素子５３と筐体９２との間に備えられる。方向調整制御部５１は、受光素子方向調整部５５に対し、受光素子５３を発光素子５２と受光素子５３を含む面方向に２軸方向で独立に微細に振動させ、振幅強度信号Ｃが最大になるように自動的に受光素子５３の受光方向調整してもよい。
【００８３】
この方法では、方向調整制御部５１は受光素子方向調整部５５に散乱光Ｎを受光できるように設定した受光素子５３の受光方向を微細量移動させ、振幅強度信号Ｃが大きくなるか否かを判定する。大きくなればさらに微細量変えた方向と同じ方向に移動させる。小さくなればもとの方向に戻す。従って、受光素子方向調整部５５により受光素子５３の受光方向を微細に振動させ、振幅強度信号Ｃの強度によって前記受光方向を調整することにより振幅強度信号Ｃを最大になるように維持することができる。受光方向の調整以外にも、受光素子５３の位置調整にも適用することができる。
【００８４】
血圧測定装置１０８を被検体に装着後、受光素子方向調整部５５は受光素子５３の受光方向を振幅強度信号Ｃが最大になるように調整し、血圧測定装置１０５と同様に血圧測定を行う。また、受光素子方向調整部５５は受光素子５３の受光方向を常時最適化しても、必要なときだけ最適化してもよい。
【００８５】
従って、血圧測定装置１０８は、効率よく被検体の血管の脈動を検出でき、正確に血圧を測定できる。
【００８６】
なお、血圧測定装置１０８において、振幅強度表示部１４を備えず、振幅強度通知部２４を備えても同様の効果を得ることができる。
（実施の形態９）
【００８７】
図９は、本願第二の発明のその他の実施形態に係る血圧測定装置の一形態を示す概略図である。図９の血圧測定装置１０９において、図８の血圧測定装置１０８で用いた符号と同じ符号は同じ機能及び同じ動作をする。血圧測定装置１０９と図８の血圧測定装置１０８との違いは、発光素子方向調整部５４をさらに備えたことである。
【００８８】
発光素子方向調整部５４は発光素子５２の発光方向を調整するアクチュエータであり、発光素子５２と筐体９２との間に備えられる。方向調整制御部５１は振幅強度演算部１３から出力される振幅強度信号Ｃを受信し、発光素子方向調整部５４へ制御信号を出力する。方向調整制御部５１は、受光素子方向調整部５５の動作と同様に、発光素子方向調整部５４に受光素子５３が検出する脈動波形Ｂの振幅強度信号Ｃが最大になるように発光素子５２の発光方向を調整させる。
【００８９】
血圧測定装置１０９を被検体に装着後、受光素子方向調整部５５が受光素子５３の受光方向を調整するとともに、発光素子方向調整部５４は発光素子５２の発光方向を振幅強度信号Ｃが最大になるように調整し、血圧測定装置１０５と同様に血圧測定を行う。また、発光素子方向調整部５４は発光素子５２の方向を常時最適化しても、必要なときだけ最適化してもよい。
【００９０】
従って、血圧測定装置１０９は、効率よく被検体の血管の脈動を検出でき、正確に血圧を測定できる。
【００９１】
なお、血圧測定装置１０９において、振幅強度表示部１４を備えず、振幅強度通知部２４を備えても同様の効果を得ることができる。
（実施の形態１０）
【００９２】
図１０は、本願第二の発明のその他の実施形態に係る血圧測定装置の一形態を示す概略図である。図１０の血圧測定装置１１０において、図１の血圧測定装置１０１と図９の血圧測定装置１０９で用いた符号と同じ符号は同じ機能及び同じ動作をする。血圧測定装置１１０と図９の血圧測定装置１０９との違いは、血圧測定装置１１０と被検体との位置を固定するフレーム９０及びフレーム９０と筐体９２との間に配置される位置調整部９５を備えたことである。
【００９３】
血圧測定装置１１０を被検体の末梢部に装着した場合、位置調整部９５は、使用者が血圧測定装置１１０の位置の微調整を行うより精度よく振幅強度信号Ｃを最大にするよう調整ができる。
【００９４】
従って、血圧測定装置１１０は被検体に装着後、位置調整部９５がカフ９３の位置を振幅強度信号Ｃを最大にするよう調整するため正確に血圧を測定することができる。
【００９５】
なお、血圧測定装置１１０において、振幅強度表示部１４を備えず、振幅強度通知部２４を備えても同様の効果を得ることができる。
（実施の形態１１）
【００９６】
図１１は、本願第二の発明のその他の実施形態に係る血圧測定装置の一形態を示す概略図である。図１１の血圧測定装置１１１において、図１の血圧測定装置１０１と図１０の血圧測定装置１１０で用いた符号と同じ符号は同じ機能及び同じ動作をする。血圧測定装置１１１と図１０の血圧測定装置１１０との違いは、圧力調整部９６をさらに備えたことである。
【００９７】
圧力調整部９６は筐体９２に備えられる。血圧測定装置１１１は圧力調整部９６を備えたことにより、被検体表面へ与圧がかかることによる測定誤差要因を取り除くことができ、高精度に血圧測定をすることができる。
【００９８】
なお、血圧測定装置１１１において、振幅強度表示部１４を備えず、振幅強度通知部２４を備えても同様の効果を得ることができる。
（実施の形態１２）
【００９９】
図１１は、本願第二の発明のその他の実施形態に係る血圧測定装置の一形態を示す概略図である。図１２の血圧測定装置１１２において、図１の血圧測定装置１０１と図１１の血圧測定装置１１１で用いた符号と同じ符号は同じ機能及び同じ動作をする。血圧測定装置１１２と図１１の血圧測定装置１１１との違いは、接触圧センサ８１をさらに備えたことである。
【０１００】
接触圧センサ８１はカフ９３の被検体との接触部に備えられる。血圧測定装置１１２は圧力調整部９６と接触圧センサ８１を備えたことにより、被検体表面へ与圧がかかることによる測定誤差要因を取り除くことができ、高精度に血圧測定をすることができる。
【０１０１】
なお、血圧測定装置１１２において、振幅強度表示部１４を備えず、振幅強度通知部２４を備えても同様の効果を得ることができる。
【０１０２】
さらに、図５から図１２で説明した血圧測定装置１０５から血圧測定装置１１２において、振幅強度表示部１４を備えず、振幅比較部３０と振幅比較表示部３４、あるいは振幅比較部３０と振幅比較通知部４４を備えてもよい。使用者は振幅比較表示部３４又は振幅比較通知部４４を確認することで、カフ９３が被検体内部の血管を的確に圧迫しておらず、振幅強度信号Ｃが小さく十分血圧測定をすることができない場合、使用者は振幅強度信号Ｃを大きくするような被検体の位置に血圧測定装置１０５から血圧測定装置１１２を再装着し、再度血圧測定を行うことができる。
【０１０３】
図１から図１２で説明した血圧測定装置１０１から血圧測定装置１１２は、外耳及び／または外耳周辺、耳介及び／または耳介周辺、耳珠及び／またはその周辺、外耳道等の被検体の末梢部を被検体の測定部分として血圧測定することができる。被検体の末梢部に装着することで、血圧を簡便に常時測定することができる。
【産業上の利用可能性】
【０１０４】
本願発明の血圧測定装置は、健康保持や健康診断のための生体情報を検出する健康器具に適用することができる。
【図面の簡単な説明】
【０１０５】
【図１】本願発明に係る実施形態の血圧測定装置１０１の構成を示す図である。
【図２】本願発明に係る実施形態の血圧測定装置１０２の構成を示す図である。
【図３】本願発明に係る実施形態の血圧測定装置１０３の構成を示す図である。
【図４】本願発明に係る実施形態の血圧測定装置１０４の構成を示す図である。
【図５】本願発明に係る実施形態の血圧測定装置１０５の構成を示す図である。
【図６】本願発明に係る実施形態の血圧測定装置１０６の構成を示す図である。
【図７】本願発明に係る実施形態の血圧測定装置１０７の構成を示す図である。
【図８】本願発明に係る実施形態の血圧測定装置１０８の構成を示す図である。
【図９】本願発明に係る実施形態の血圧測定装置１０９の構成を示す図である。
【図１０】本願発明に係る実施形態の血圧測定装置１１０の構成を示す図である。
【図１１】本願発明に係る実施形態の血圧測定装置１１１の構成を示す図である。
【図１２】本願発明に係る実施形態の血圧測定装置１１２の構成を示す図である。
【符号の説明】
【０１０６】
１０１、１０２、１０３、１０４、１０５、１０６、１０７、１０８、１０９、１１０、１１１、１１２  血圧測定装置
１１  圧力センサ
１２  脈動波形検出部
１３  振幅強度演算部
１４  振幅強度表示部
２４  振幅強度通知部
３０  振幅比較部
３４  振幅比較表示部
４４  振幅比較通知部
５１  方向調整制御部
５２  発光素子
５３  受光素子
５４  発光素子方向調整部
５５  受光素子方向調整部
８１  接触圧センサ
８２  接触検知部
９０  フレーム
９２  筐体
９３  カフ
９４  空気パイプ
９５  位置調整部
９６  圧力調整部
Ａ  信号
Ｂ  脈動波形
Ｃ  振幅強度信号
Ｆ  信号
Ｇ  信号
Ｍ  照射光
Ｎ  散乱光
【図１】
2006102191.tif 000003
【図２】
2006102191.tif 000004
【図３】
2006102191.tif 000005
【図４】
2006102191.tif 000006
【図５】
2006102191.tif 000007
【図６】
2006102191.tif 000008
【図７】
2006102191.tif 000009
【図８】
2006102191.tif 000010
【図９】
2006102191.tif 000011
【図１０】
2006102191.tif 000012
【図１１】
2006102191.tif 000013
【図１２】
2006102191.tif 000014